(57)【要約】【目的】  省スペース化を図り、且つ、異なる種類のカード発行器をカード発行制御器が自動認識して所定のカード発行処理を行う。【構成】  カード発行システム１は、カードに書き込まれる各種データを設定入力するカード発行制御器２と、カード発行制御器２で設定入力された各種データをカードに書き込んでカードを発行するスワイプ式カード発行器３Ｂを具備する。スワイプ式カード発行器３Ｂは、コネクタ付きケーブル５によりカード発行制御器２と接続した際、自身を特定する種別信号ＵＣ１またはＵＣ２（Ｈｉｇｈレベルの信号）をカード発行制御器２に入力する。カード発行制御器２は、スワイプ式カード発行器３Ｂから入力される種別信号に基づいて現在接続されているスワイプ式カード発行器３Ｂの種類を判別部２Ｃで判別する。【選択図】  図２
2005208917.tif 000002
【特許請求の範囲】
【請求項１】
カードを発行するための各種データを設定入力するカード発行制御器と、磁気カードのスライド操作により前記カード発行制御器で設定入力された各種データを前記磁気カードに書き込んでカードを発行する複数種類のスワイプ式カード発行器とを備えたカード発行システムであって、
前記スワイプ式カード発行器は、前記カード発行制御器への接続時に、自身を特定する種別信号を前記カード発行制御器に入力しており、
前記カード発行制御器は、前記スワイプ式カード発行器から入力される種別信号に基づいて現在接続されているスワイプ式カード発行器の種類を判別する判別部を備えたことを特徴とするカード発行システム。
【発明の詳細な説明】
【技術分野】
【０００１】
本発明は、例えば建物等の入出口に設けられるカード式電気錠の施解錠を行うためのカードを発行するカード発行システムに関し、特に異なる種類のカード発行器をカード発行制御器が自動認識するカード発行システムに関するものである。
【背景技術】
【０００２】
近年、ホテルやオフィスビル等の商業施設や公共施設の入出口、最近では集合住宅や一般住宅のエントランスや玄関等にカード式電気錠が広く普及している。このカード式電気錠は、各所の電気錠ごとに割り当てた特定の暗号や施解錠情報等の各種データが記憶されたカードを用い、施解錠時に所定の挿入口よりカードが挿入されると、そのカードに記憶されている各種データ（例えば特定の暗号による施解錠データ）を読み取り、読み取った各種データを正常に認証した場合のみ施解錠を行なうものである。
【０００３】
このカード式電気錠は、ピッキング等の不正な施解錠行為を防止し、且つ、鍵の複製が非常に困難なためセキュリティー面において信頼されている。また、各カードごとの各種データをホストコンピューターで管理しているため、データ破損等の心配がなく、カードを紛失した場合においても容易にカードを再発行することが可能である。
【０００４】
このようなカード式電気錠を用いたシステムとしては、例えば下記特許文献１に開示される出入管理システムが知られている。
【０００５】
特許文献１に開示される出入管理システム３１は、図４に示すように、出入管理ゲートとしてのドア３２と、ドア３２に取り付けられた電気錠３３と、ドア３２を通過しようとする人の個人情報を識別する複数の個人識別装置として作用する複数の磁気カードリーダ３４および３５と、これら複数の磁気カードリーダ３４および３５に接続され、電気錠３３を制御するカードコントローラ３６とを備えて概略構成される。
【０００６】
カードコントローラ３６は、電気錠３３に接続された唯一の電気錠駆動部Ｋ（３４，３５）と、複数の磁気カードリーダ３４および３５のうちいずれかが識別した個人情報が、ドア３３の通過を許可されている人の情報か否かを判定し、通過を許可されている人の情報であれば、電気錠駆動部Ｋ（３４，３５）に電気錠３３を駆動する信号を発生させ、ドア３３を開にする判定部３７とを有している。また、カードコントローラ３６には、管理ソフトウエアを搭載したコンピュータ３８が通信ケーブル３９で接続されている。
【０００７】
ところで、上記出入管理システム３１のようにカードを用いて電気錠の施解錠を行う場合、各電気錠ごとに施解錠用のカードを発行する必要がある。この場合、発行されるカードの種類としては、例えば磁気面に各種データが書き込まれる磁気カード、プロセッサチップのメモリに各種データが記憶されるＩＣカード等がある。
【０００８】
そして、上記カードを発行する場合には、例えば図５に示すようなカード発行システム４１が用いられる。図５に示すカード発行システム４１は、カード発行制御器４２、カード発行器４３、操作表示器４４を備えて概略構成される。カード発行制御器４２は、表示画面上に設けられたタッチキーを操作することにより、カードを発行するための各種データの入力が行えるようになっている。カード発行器４３は、通信ケーブル４５により操作表示器４４を介してカード発行制御器４２と接続される。カード発行器４３は、カード発行制御器４２または操作表示器４４が操作されて各種データが入力されると、この入力された各種データをカードに書き込んでカードを発行している。操作表示器４４は、テンキーやファンクションキーなどの各種入力キーおよび表示器を備えており、カードを発行するための各種データを入力する入力器として用いられる。
【０００９】
このように、図５に示すカード発行システム４１では、カード発行制御器４２または操作表示器４４を操作して各種データを入力することにより、この各種データがカード発行器４３に転送されてカードに各種データが書き込まれ、カードの発行が行われるようになっている。
【特許文献１】特開２００１−２４１２２６号公報
【発明の開示】
【発明が解決しようとする課題】
【００１０】
しかしながら、上述した従来のカード発行システム４１では、カード発行制御器４２別にカード発行器４３も専用に用意されており、カード発行制御器４２に本来接続されるものと異なるカード発行器４３がカード発行制御器４２に接続された場合には動作せず、カードを発行することができなかった。
【００１１】
また、カード発行器４３が発行前のカードを複数枚スタッカするタイプの場合には、装置自体が大がかりなものとなり、大きな設置スペースを必要とするだけでなく、コスト的にも高くなるという問題があった。
【００１２】
そこで、本発明は上記問題点に鑑みてなされたものであり、省スペース化を図り、且つ、異なる種類のカード発行器をカード発行制御器が自動認識して所定のカード発行処理を行うことができるカード発行システムを提供することを目的とするものである。
【課題を解決するための手段】
【００１３】
上記した目的を達成するために、本発明に係るカード発行システムは、カードを発行するための各種データを設定入力するカード発行制御器と、磁気カードのスライド操作により前記カード発行制御器で設定入力された各種データを前記磁気カードに書き込んでカードを発行する複数種類のスワイプ式カード発行器とを備えたカード発行システムであって、
前記スワイプ式カード発行器は、前記カード発行制御器への接続時に、自身を特定する種別信号を前記カード発行制御器に入力しており、
前記カード発行制御器は、前記スワイプ式カード発行器から入力される種別信号に基づいて現在接続されているスワイプ式カード発行器の種類を判別する判別部を備えたことを特徴とする。
【発明の効果】
【００１４】
本発明のカード発行システムによれば、異なる種類のカード発行器を接続しても、カード発行器から入力される種別信号によりカード発行制御器がカード発行器の種類を自動認識し、その認識結果に応じた処理を行なうので、複数種類のカード発行器を１台のカード発行制御器で使用できる。カード発行器として、簡易操作によるスワイプ式カード発行器を使用するので、設置場所が少ない所にも設置することが可能となり、省スペース化が図れ、使い勝手がよく、低コストでカード発行システムが構築できる。
【発明を実施するための最良の形態】
【００１５】
図１は本発明に係るカード発行システムの基本構成の一例を示す概略構成図、図２は本発明に係るカード発行システムにおいてカード発行制御器とスワイプ式カード発行器の接続構成の一例を示す概略図、図３は本発明に係るカード発行システムにおけるスワイプ式カード発行器の接続状態の判別手順を示す動作フローチャートである。
【００１６】
本例のカード発行システム１は、図１に示すように、カード発行制御器２、カード発行器３、操作表示器４を備えて概略構成され、カード発行制御器２を中心としてネットワークを構築している。なお、本例のカード発行システム１は、カード発行制御器２とカード発行器３としてのスワイプ式カード発行器３Ｂとを基本構成とするものである。以下では、本例のカード発行システム１をホテルのカードロックシステムに採用した場合を例にとって説明する。宿泊客は、以下に説明する本例のカード発行システム１により発行されるカードを用いることで、宿泊部屋のカードロックの解錠の他、クレジットカードとの連携により、ホテル内の費用の決済のすべてが１枚のカードで可能となっている。
【００１７】
カード発行制御器２は、ＣＰＵ、メモリを備え、ＯＳ（operating system）としてＭｉｃｒｏｓｏｆｔ  Ｗｉｎｄｏｗｓ（Ｒ）を採用しており、このＯＳ上でアプリケーションが動作している。カード発行制御器２は、表示器２ａを備えており、この表示器２ａの表示画面上に設けられたタッチキー２ｂを操作することにより、チェックイン時に客に手渡されるカード（磁気カードやＩＣカード）を発行するための例えばチェックイン／アウトの日時、客室番号、顧客情報などの各種データの設定入力が行えるようになっている。
【００１８】
また、カード発行制御器２は、図２に示すように、判別部２ｃを備えている。この判別部２ｃは、後述するスワイプ式カード発行器３Ｂがカード発行制御器２にコネクタ付きケーブル５により接続された際に、スワイプ式カード発行器３Ｂから入力される種別信号（ＵＣ１またはＵＣ２）によって現在接続されているスワイプ式カード発行器３Ｂの種類を判別している。そして、カード発行制御器２は、判別部２ｃの判別結果に基づいてカード発行の制御をしている。
【００１９】
図１の例において、カード発行器３は、モーター式カード発行器３Ａとスワイプ式カード発行器３Ｂを備えている。モーター式カード発行器３Ａは、通信ケーブル（例えばＲＳ−２３２Ｃケーブルやネットワークケーブル）を用いることにより、操作表示器４を介してカード発行制御器２と接続される。モーター式カード発行器３Ａは、磁気カードリーダー／ライターとＩＣカードリーダー／ライターを内蔵している。モーター式カード発行器３Ａでは、ホテル従業員がカード発行制御器２または操作表示器４を操作し、例えばチェックイン／アウトの日時、客室番号、顧客情報などの各種データが設定入力されると、この設定入力された各種データをカード（磁気カードやＩＣカード）に書き込み、チェックイン時に客に手渡されるカード（磁気カードやＩＣカード）を発行している。
【００２０】
スワイプ式カード発行器３Ｂは、カード発行制御器２にコネクタ付きケーブル５を介して接続され、カード発行制御器２から電源が供給される。図１の例において、スワイプ式カード発行器３Ｂは、１Ｐａｓｓ式スワイプカード発行器３ＢＡと、２Ｐａｓｓ式スワイプカード発行器３ＢＢで構成される。これらのカード発行器３Ｂ（３ＢＡ，３ＢＢ）は、手動スワイプ式のため、発行するカード（磁気カード）をスライドさせるための長溝からなるスリット３ａが本体に形成されている。また、スワイプ式カード発行器３Ｂには、手動により磁気カードをスリット３ａ内でスライドさせた際、磁気カードの磁気面に位置して磁気ヘッドが内蔵されている。スワイプ式カード発行器３Ｂでは、ホテル従業員がカード発行制御器２を操作し、例えばチェックイン／アウトの日時、客室番号、顧客情報などの各種データを設定入力した後、手動により磁気カードをスリット３ａ内でスライドさせると、磁気カードの磁気面に各種情報を書き込み、チェックイン時に客に手渡されるカード（磁気カード）を発行している。
【００２１】
ここで、１Ｐａｓｓ式スワイプカード発行器３ＢＡと２Ｐａｓｓ式スワイプカード発行器３ＢＢとでは、磁気カードに対する記録方式が異なっている。１Ｐａｓｓ式スワイプカード発行器３ＢＡは、磁気ヘッドが磁気カードの磁気面に対応して２つ内蔵されており、磁気カードをスリット３ａ内で１回スライドさせることにより、一方の磁気ヘッドで磁気カードに必要なデータが書き込まれ、同時に他方の磁気ヘッドでデータが確認される。これに対し、２Ｐａｓｓ式スワイプカード発行器３ＢＢは、磁気カードの磁気面に対応して磁気ヘッドが１つのみ内蔵されており、磁気カードをスリット３ａ内で１回目のスライドにより磁気ヘッドで磁気カードに必要なデータが書き込まれ、２回目のスライドにより磁気ヘッドでデータが確認される。この１Ｐａｓｓ式スワイプカード発行器３ＢＡと２Ｐａｓｓ式スワイプカード発行器３ＢＢは、ユーザーの予算に応じて選択される。
【００２２】
本例では、１Ｐａｓｓ式スワイプカード発行器３ＢＡと、２Ｐａｓｓ式スワイプカード発行器３ＢＢとからは、自身を特定する異なる種別信号がカード発行制御器２に出力されるようになっている。すなわち、１Ｐａｓｓ式スワイプカード発行器３ＢＡをカード発行制御器２にコネクタ付きケーブル５により接続した場合には、１Ｐａｓｓ式スワイプカード発行器３ＢＡから信号ＵＣ１（Ｈｉｇｈレベルの信号）が種別信号としてカード発行制御器２に入力される。これに対し、２Ｐａｓｓ式スワイプカード発行器３ＢＢをカード発行制御器２にコネクタ付きケーブル５により接続した場合には、２Ｐａｓｓ式スワイプカード発行器３ＢＢから１Ｐａｓｓ式スワイプカード発行器３ＢＡとは異なる信号ＵＣ２（Ｈｉｇｈレベルの信号）が種別信号としてカード発行制御器２に入力される。
【００２３】
操作表示器４は、ＣＰＵ、ＲＡＭ，ＲＯＭなどのメモリの他、テンキーやファンクションキーなどの各種入力キー４ａおよび表示器４ｂを備えており、例えばチェックイン／アウトの日時、客室番号、顧客情報などの各種情報を入力する入力器として用いられる。この操作表示器４から入力された各種情報は、モーター式カード発行器３Ａおよびカード発行制御器２に伝送される。
【００２４】
次に、上記構成によるカード発行システム１において、カード発行前に実行されるスワイプ式カード発行器３Ｂ（３ＢＡ，３ＢＢ）の接続の有無および種別の判別処理動作について図３のフローチャートを参照しながら説明する。
【００２５】
カード発行制御器２の電源がＯＮすると（ＳＴ１）、カード発行制御器２はスワイプ式カード発行器３Ｂの接続の有無および種別を判別するため、コネクタ付きケーブル５を介してスワイプ式カード発行器３Ｂからの種別信号を有無を判別する。ここで、種別信号ＵＣ１およびＵＣ２が共にＬｏｗであれば（ＳＴ２−Ｙｅｓ）、スワイプ式カード発行器３Ｂ（３ＢＡ，３ＢＢ）が未接続状態と認識する（ＳＴ３）。この場合には、ユーザーによるオペレーション開始動作として（ＳＴ４）、モーター式カード発行器３Ａによるカード発行が可能となる。
【００２６】
種別信号ＵＣ１およびＵＣ２が共にＬｏｗでなく（ＳＴ２−Ｎｏ）、種別信号ＵＣ１がＨｉｇｈで、種別信号ＵＣ２がＬｏｗ、すなわち種別信号ＵＣ１のみがＨｉｇｈであれば（ＳＴ５−Ｙｅｓ）、１Ｐａｓｓ式スワイプカード発行器３ＢＡがカード発行制御器２に接続されていると認識する（ＳＴ６）。この場合には、ユーザーによるオペレーション開始動作として（ＳＴ４）、モーター式カード発行器３Ａおよび１Ｐａｓｓ式スワイプカード発行器３ＢＡによるカード発行が可能となる。
【００２７】
種別信号ＵＣ１がＨｉｇｈでなく、かつ種別信号ＵＣ２がＬｏｗでない場合（ＳＴ５−Ｎｏ）、種別信号ＵＣ１がＬｏｗで、種別信号ＵＣ２がＨｉｇｈ、すなわち種別信号ＵＣ２のみがＨｉｇｈであれば（ＳＴ７−Ｙｅｓ）、２Ｐａｓｓ式スワイプカード発行器３ＢＢがカード発行制御器２に接続されていると認識する（ＳＴ８）。この場合には、ユーザーによるオペレーション開始動作として（ＳＴ４）、モーター式カード発行器３Ａおよび２Ｐａｓｓ式スワイプカード発行器３ＢＢによるカード発行が可能となる。なお、種別信号ＵＣ１がＬｏｗでなく、かつ種別信号ＵＣ２がＨｉｇｈでもなければ（ＳＴ７−Ｎｏ）、ＳＴ２の動作に戻る。
【００２８】
このように、本例のカード発行システム１では、スワイプ式カード発行器３Ｂを使用する際、コネクタ付きケーブル５を介して入力される種別信号（ＵＣ１またはＵＣ２のＨｉｇｈレベルの信号）によって現在カード発行制御器２に接続されているスワイプ式カード発行器３Ｂの種類を自動判別している。これにより、複数種類のスワイプ式カード発行器３Ｂを１台のカード発行制御器２で使用することができ、しかも設置スペースを取らない簡易操作によるスワイプ式カード発行器３Ｂを使用するので、省スペース化が図れるとともに、コストを削減することができる。
【００２９】
ところで、上述した形態では、本例のカード発行システムをホテルに採用する場合を例にとって説明したが、ホテルのカードロックシステムに限定されるものではない。例えば特許文献１に開示される出入管理システムにも採用することができる。この場合、発行されるカードには、施解錠する電気錠毎に必要なデータが書き込まれることになる。
【００３０】
また、上述した形態では、スワイプ式カード発行器３Ｂが２種類の場合を例にとって説明したが、スワイプ式カード発行器から異なる種別信号がカード発行制御器２に入力される構成であれば、複数種類のスワイプ式カード発行器にも対応することができる。
【００３１】
さらに、本例のカード発行システムは、図１の破線で囲む部分、すなわちカード発行制御器２とスワイプ式カード発行器３Ｂを基本構成とするものであり、モーター式カード発行器３Ａと操作表示器４の構成を省くことができる。なお、図１のシステム構成とした場合には、スワイプ式カード発行器３Ｂでは磁気カードのみのカード発行となるが、モーター式カード発行器３Ａにより磁気カードに加え、ＩＣカードの発行も行うことができ、用途に応じて使用するカードを選択することができる。
【図面の簡単な説明】
【００３２】
【図１】本発明に係るカード発行システムの基本構成の一例を示す概略構成図である。
【図２】本発明に係るカード発行システムにおいてカード発行制御器とスワイプ式カード発行器の接続構成の一例を示す概略図である。
【図３】本発明に係るカード発行システムにおけるスワイプ式カード発行器の接続状態の判別手順を示す動作フローチャートである。
【図４】特許文献１に開示される出入管理システムの一例を示した概略構成図である。
【図５】従来のカード発行システムの一例を示す概略構成図である。
【符号の説明】
【００３３】
１  カード発行システム
２  カード発行制御器
２ａ  表示器
２ｂ  タッチキー
２ｃ  判別部
３  カード発行器
３ａ  スリット
３Ａ  モーター式カード発行器
３Ｂ（３ＢＡ，３ＢＢ）  スワイプ式カード発行器
４  操作表示器
４ａ  入力キー
４ｂ  表示器
５  コネクタ付きケーブル
ＵＣ１，ＵＣ２  種別信号
【図１】
2005208917.tif 000003
【図２】
2005208917.tif 000004
【図３】
2005208917.tif 000005
【図４】
2005208917.tif 000006
【図５】
2005208917.tif 000007